(57)【要約】【課題】現像剤像を良好に転写する。【解決手段】制御部８４は、転写ロール７８が１種類目の現像剤像を記録媒体に転写して定着装置２８が１種類目の現像剤像を記録媒体に定着させる場合、転写ロール７８が現像剤像を転写する転写条件及び定着装置２８が現像剤像を定着させる定着条件の少なくともいずれかが、転写ロール７８が２種類目以降の現像剤像を記録媒体に転写して定着装置２８が２種類目以降の現像剤像を記録媒体に定着させる場合とは異なるように制御する。【選択図】図１
2010211100.tif 000002
【特許請求の範囲】
【請求項１】
像保持体と、
この像保持体が保持する静電潜像を複数種類の現像剤で順次に現像する現像手段と、
この現像手段が現像し前記像保持体が保持する現像剤像を現像剤の種類毎に記録媒体に転写する転写手段と、
この転写手段が現像剤像を記録媒体に転写する毎に現像剤像を記録媒体に定着させる定着手段と、
前記転写手段が１種類目の現像剤像を記録媒体に転写して前記定着手段が１種類目の現像剤像を記録媒体に定着させる場合、前記転写手段が現像剤像を転写する転写条件及び前記定着手段が現像剤像を定着させる定着条件の少なくともいずれかが、前記転写手段が２種類目以降の現像剤像を記録媒体に転写して前記定着手段が２種類目以降の現像剤像を記録媒体に定着させる場合とは異なるように制御する制御手段と、
を有する画像形成装置。
【請求項２】
記録媒体の種類に関する情報を取得する情報取得手段を
さらに有し、
前記制御手段は、
前記情報取得手段が取得した情報に基づいて、前記転写手段が現像剤像を転写する転写条件及び前記定着手段が現像剤像を定着させる定着条件の少なくともいずれかを制御する
請求項１記載の画像形成装置。
【請求項３】
前記制御手段は、
前記定着手段が１種類目の現像剤像を記録媒体に定着させる場合、前記定着手段が２種類目以降の現像剤像を記録媒体に定着させる場合よりも高い荷重を現像剤像及び記録媒体に付与するよう制御する
請求項１又は２記載の画像形成装置。
【請求項４】
前記制御手段は、
前記転写手段が１種類目の現像剤像を記録媒体に転写する場合、前記転写手段が２種類目以降の現像剤像を記録媒体に転写する場合よりも低い荷重及び少ない電流の少なくともいずれかを現像剤像及び記録媒体に付与するよう制御する
請求項１乃至３いずれか記載の画像形成装置。
【請求項５】
前記現像手段は、
前記像保持体が保持する静電潜像を透明現像剤で現像した後に、静電潜像を有色現像剤で現像し、透明現像剤で現像する場合の現像剤量が、有色現像剤で現像する場合のいずれの現像剤量よりも多くなるようにされている
請求項１乃至４いずれか記載の画像形成装置。
【請求項６】
像保持体と、
この像保持体が保持する静電潜像を複数種類の現像剤で順次に現像する現像手段と、
この現像手段が現像し前記像保持体が保持する現像剤像を現像剤の種類毎に記録媒体に転写する転写手段と、
この転写手段が現像剤像を記録媒体に転写する毎に現像剤像を記録媒体に定着させる定着手段と、
この定着手段が現像剤像を定着させる記録媒体の種類に関する情報を取得する情報取得手段と、
この情報取得手段が取得した情報に基づいて、前記定着手段が現像剤像を定着させる記録媒体の種類が予め定めた種類であるか否かを判定する判定手段と、
記録媒体の種類が予め定めた種類であると前記判定手段が判定した場合、少なくとも前記転写手段が１種類目の現像剤像を記録媒体に転写して前記定着手段が１種類目の現像剤像を記録媒体に定着させる場合の現像剤像を転写する転写条件及び現像剤像を定着させる定着条件の少なくともいずれかが、記録媒体の種類が予め定めた種類でないと前記判定手段が判定した場合とは異なるように制御する制御手段と、
を有する画像形成装置。
【請求項７】
前記情報取得手段は、
記録媒体の表面粗さに関する情報を取得し、
前記判定手段は、
前記情報取得手段が取得した表面粗さに関する情報に基づいて、前記定着手段が現像剤像を定着させる記録媒体が予め定めた表面粗さを有するか否かを判定する
請求項６記載の画像形成装置。
【請求項８】
前記制御手段は、
記録媒体が予め定めた表面粗さを有すると前記判定手段が判定した場合、前記定着手段が１種類目の現像剤像を記録媒体に定着させるときに、前記定着手段が２種類目以降の現像剤像を記録媒体に定着させるときよりも高い荷重を現像剤像及び記録媒体に付与するよう制御する
請求項７記載の画像形成装置。
【請求項９】
前記制御手段は、
記録媒体が予め定めた表面粗さを有すると前記判定手段が判定した場合、前記転写手段が１種類目の現像剤像を記録媒体に転写するときに、前記転写手段が２種類目以降の現像剤像を記録媒体に転写するときよりも低い荷重及び少ない電流の少なくともいずれかを現像剤像及び記録媒体に付与するよう制御する
請求項７又は８記載の画像形成装置。
【発明の詳細な説明】
【技術分野】
【０００１】
本発明は、画像形成装置に関するものである。
【背景技術】
【０００２】
特許文献１は、透明トナー又は白色トナーを含む２成分現像剤で非接触現像し、転写像を定着して光沢シートを作成すること、及び光沢化された転写材を複写紙として用い、その上にトナー像を定着する光沢画像形成装置を開示する。また、特許文献２は、記録紙を一定温度に予備加熱し、転写手段へ搬送する画像形成装置を開示する。
【先行技術文献】
【特許文献】
【０００３】
【特許文献１】特開平５−２３２８４１号公報
【特許文献２】特開２００１−５３１８号公報
【発明の概要】
【発明が解決しようとする課題】
【０００４】
本発明は、現像剤像を良好に転写することができる画像形成装置を提供することを目的とする。
【課題を解決するための手段】
【０００５】
上記目的を達成するため、請求項１に係る本発明は、像保持体と、この像保持体が保持する静電潜像を複数種類の現像剤で順次に現像する現像手段と、この現像手段が現像し前記像保持体が保持する現像剤像を現像剤の種類毎に記録媒体に転写する転写手段と、この転写手段が現像剤像を記録媒体に転写する毎に現像剤像を記録媒体に定着させる定着手段と、前記転写手段が１種類目の現像剤像を記録媒体に転写して前記定着手段が１種類目の現像剤像を記録媒体に定着させる場合、前記転写手段が現像剤像を転写する転写条件及び前記定着手段が現像剤像を定着させる定着条件の少なくともいずれかが、前記転写手段が２種類目以降の現像剤像を記録媒体に転写して前記定着手段が２種類目以降の現像剤像を記録媒体に定着させる場合とは異なるように制御する制御手段と、を有する画像形成装置である。
【０００６】
請求項２に係る本発明は、記録媒体の種類に関する情報を取得する情報取得手段をさらに有し、前記制御手段は、前記情報取得手段が取得した情報に基づいて、前記転写手段が現像剤像を転写する転写条件及び前記定着手段が現像剤像を定着させる定着条件の少なくともいずれかを制御する請求項１記載の画像形成装置である。
【０００７】
請求項３に係る本発明は、前記制御手段は、前記定着手段が１種類目の現像剤像を記録媒体に定着させる場合、前記定着手段が２種類目以降の現像剤像を記録媒体に定着させる場合よりも高い荷重を現像剤像及び記録媒体に付与するよう制御する請求項１又は２記載の画像形成装置である。
【０００８】
請求項４に係る本発明は、前記制御手段は、前記転写手段が１種類目の現像剤像を記録媒体に転写する場合、前記転写手段が２種類目以降の現像剤像を記録媒体に転写する場合よりも低い荷重及び少ない電流の少なくともいずれかを現像剤像及び記録媒体に付与するよう制御する請求項１乃至３いずれか記載の画像形成装置である。
【０００９】
請求項５に係る本発明は、前記現像手段は、前記像保持体が保持する静電潜像を透明現像剤で現像した後に、静電潜像を有色現像剤で現像し、透明現像剤で現像する場合の現像剤量が、有色現像剤で現像する場合のいずれの現像剤量よりも多くなるようにされている請求項１乃至４いずれか記載の画像形成装置である。
【００１０】
請求項６に係る本発明は、像保持体と、この像保持体が保持する静電潜像を複数種類の現像剤で順次に現像する現像手段と、この現像手段が現像し前記像保持体が保持する現像剤像を現像剤の種類毎に記録媒体に転写する転写手段と、この転写手段が現像剤像を記録媒体に転写する毎に現像剤像を記録媒体に定着させる定着手段と、この定着手段が現像剤像を定着させる記録媒体の種類に関する情報を取得する情報取得手段と、この情報取得手段が取得した情報に基づいて、前記定着手段が現像剤像を定着させる記録媒体の種類が予め定めた種類であるか否かを判定する判定手段と、記録媒体の種類が予め定めた種類であると前記判定手段が判定した場合、少なくとも前記転写手段が１種類目の現像剤像を記録媒体に転写して前記定着手段が１種類目の現像剤像を記録媒体に定着させる場合の現像剤像を転写する転写条件及び現像剤像を定着させる定着条件の少なくともいずれかが、記録媒体の種類が予め定めた種類でないと前記判定手段が判定した場合とは異なるように制御する制御手段と、を有する画像形成装置である。
【００１１】
請求項７に係る本発明は、前記情報取得手段が、記録媒体の表面粗さに関する情報を取得し、前記判定手段が、前記情報取得手段が取得した表面粗さに関する情報に基づいて、前記定着手段が現像剤像を定着させる記録媒体が予め定めた表面粗さを有するか否かを判定する請求項６記載の画像形成装置である。
【００１２】
請求項８に係る本発明は、前記制御手段が、記録媒体が予め定めた表面粗さを有すると前記判定手段が判定した場合、前記定着手段が１種類目の現像剤像を記録媒体に定着させるときに、前記定着手段が２種類目以降の現像剤像を記録媒体に定着させるときよりも高い荷重を現像剤像及び記録媒体に付与するよう制御する請求項７記載の画像形成装置である。
【００１３】
請求項９に係る本発明は、前記制御手段が、記録媒体が予め定めた表面粗さを有すると前記判定手段が判定した場合、前記転写手段が１種類目の現像剤像を記録媒体に転写するときに、前記転写手段が２種類目以降の現像剤像を記録媒体に転写するときよりも低い荷重及び少ない電流の少なくともいずれかを現像剤像及び記録媒体に付与するよう制御する請求項７又は８記載の画像形成装置である。
【発明の効果】
【００１４】
請求項１に係る本発明によれば、本構成を有していない場合に比較して、現像剤像を良好に転写することができる。
【００１５】
請求項２に係る本発明によれば、請求項１に係る本発明の効果に加えて、本構成を有していない場合に比較して、記録媒体の種類に関する情報に応じて、現像剤像を良好に転写することができる。
【００１６】
請求項３に係る本発明によれば、請求項１又は２に係る本発明の効果に加えて、本構成を有していない場合に比較して、表面に凹凸が形成された記録媒体に対しても現像剤像を良好に転写することができる。
【００１７】
請求項４に係る本発明によれば、請求項１乃至３いずれかに係る本発明の効果に加えて、本構成を有していない場合に比較して、表面に凹凸が形成された記録媒体に対しても現像剤像を良好に転写することができる。
【００１８】
請求項５に係る本発明によれば、請求項１乃至４いずれかに係る本発明の効果に加えて、本構成を有していない場合に比較して、表面に凹凸が形成された記録媒体に対しても現像剤像を良好に転写することができる。
【００１９】
請求項６に係る本発明によれば、本構成を有していない場合に比較して、現像剤像を良好に転写することができる。
【００２０】
請求項７に係る本発明によれば、請求項６に係る本発明の効果に加えて、本構成を有していない場合に比較して、記録媒体の表面粗さに関する情報に応じて、現像剤像を良好に転写することができる。
【００２１】
請求項８に係る本発明によれば、請求項７に係る本発明の効果に加えて、本構成を有していない場合に比較して、記録媒体が予め定めた表面粗さを有していても、現像剤像を良好に転写することができる。
【００２２】
請求項９に係る本発明によれば、請求項７又は８に係る本発明の効果に加えて、本構成を有していない場合に比較して、記録媒体が予め定めた表面粗さを有していても、現像剤像を良好に転写することができる。
【図面の簡単な説明】
【００２３】
【図１】本発明の実施形態に係る画像形成装置の概要を示す側面図である。
【図２】像保持体に対する転写ロールの転写条件を変更するための構成を示す模式図である。
【図３】定着装置における定着条件を変更するための構成を示す模式図である。
【図４】制御部の構成を示すブロック図である。
【図５】画像形成装置が画像を形成するための条件を記録媒体の種類に関する情報に応じて設定する第１の処理例（Ｓ１０）を示すフローチャートである。
【図６】画像形成装置が画像を形成するための条件を記録媒体の種類に関する情報に応じて設定する第２の処理例（Ｓ２０）を示すフローチャートである。
【図７】画像形成装置のエンボス紙に対する転写性の評価結果を示す第１の図表である。
【図８】エンボス紙の凹部に対して転写された現像剤の状態を示す模式図であって、（Ａ）は実施例を示す模式図であり、（Ｂ）は比較例を示す模式図である。
【図９】画像形成装置のエンボス紙に対する転写性の評価結果を示す第２の図表である。
【発明を実施するための形態】
【００２４】
次に本発明の実施形態を図面に基づいて説明する。
図１は、本発明の実施形態に係る画像形成装置１０の概要を示す側面図である。
図１に示すように、画像形成装置１０は、画像形成装置本体１２を有し、この画像形成装置本体１２の下部に例えば１段の給紙ユニット１４が配置されている。
【００２５】
給紙ユニット１４の上部には、給紙ユニット１４から用紙などの記録媒体を取り出す取り出しロール１６が配置されている。取り出しロール１６は、図示しない駆動部によって駆動され、記録媒体を搬送路１８に向けて供給するように回転する。
【００２６】
搬送路１８は、取り出しロール１６から排出口２４までの記録媒体通路であり、この搬送路１８は、画像形成装置本体１２の背面側（図１において左側）にあって、給紙ユニット１４から排出口２４まで略垂直に延びる部分を有する。この搬送路１８の定着装置２８の上流側に後述する像保持体６２と転写ロール７８とが配置され、像保持体６２と転写ロール７８の上流側にレジストロール３０が配置されている。レジストロール３０の例えば上流側には、記録媒体の表面の凹凸を検出する例えば非接触のレーザ変位計などの検出装置２０が配置されている。検出装置２０は、記録媒体に接触して記録媒体の表面粗さを検出する粗さ計であってもよいし、レジストロール３０の下流側に配置されてもよいし、給紙ユニット１４内に配置されてもよい。また、搬送路１８の排出口２４の近傍には排出ロール３２が配置されている。
【００２７】
したがって、給紙ユニット１４から取り出しロール１６により取り出された記録媒体は、搬送路１８に導かれ、レジストロール３０により一時停止され、タイミングをとって後述する像保持体６２と転写ロール７８との間を通って例えば黒色の現像剤像が転写され、この転写された黒色の現像剤像が定着装置２８により定着され、排出ロール３２により排出口２４から排出される。
【００２８】
ただし、カラー印刷の場合は、記録媒体は反復路に例えば３回戻される。即ち、搬送路１８の排出ロール３２の下流は二股に分かれ、その分かれた部分に切換装置３４が設けられていると共に、分けられた部分からレジストロール３０まで戻る反復路３６が形成されている。この反復路３６には搬送ロール４０，４２，４４，４６が設けられており、カラー印刷の場合には、切換装置３４が反復路３６を開く側に切り換えられ、記録媒体が反復路３６に導かれ、レジストロール３０、像保持体６２と転写ロール７８との間及び定着装置２８を合計４回通って排出口２４から排出されるものである。ここで、搬送路１８のレジストロール３０から排出ロール３２までと反復路３６とは、定着装置２８を通過した記録媒体を、再び像保持体６２と転写ロール７８との間及び定着装置２８へ搬送する再送路５０を形成している。
【００２９】
画像形成装置本体１２には、例えば略中央部にロータリ現像装置５２が配置されている。ロータリ現像装置５２は、現像器本体５４内にイエロー（Ｙｅｌｌｏｗ）、マゼンタ（Ｍａｇｅｎｔａ）、シアン（Ｃｙａｎ）及び黒（Ｂｌａｃｋ）の４色の現像剤像をそれぞれ形成する現像器５６ａ〜５６ｄを有し、ロータリ現像装置中心５８を中心として左回り（図１において反時計回り）に回転する。現像器５６ａ〜５６ｄは、それぞれ収容する現像剤の色が異なる点を除いて同様に構成されており、像保持体６２との間に予め定めた現像電圧（例えば現像電圧の初期値：標準設定値）が付与される現像ロール６０ａ〜６０ｄをそれぞれ有する。
なお、ロータリ現像装置５２は、例えば現像器５６ａ〜５６ｄのいずれかに透明現像剤（クリアトナー）が収容されてもよいし、５つの現像器を有してイエロー、マゼンタ、シアン及び黒の有色現像剤と透明現像剤の５種類の現像剤を個別に収容するようにされてもよい。透明現像剤は、有色の顔料を含まない点を除いて、有色現像剤と同様に構成される。
【００３０】
ロータリ現像装置５２には、例えば感光体からなる像保持体６２が当接するように配置されており、現像ロール６０ａ〜６０ｄは、像保持体６２に当接していない状態で、それぞれの外周の一部が現像器本体５４の外周から半径方向に、例えば２ｍｍ突出している。また、現像ロール６０ａ〜６０ｄそれぞれの両端には、現像ロール６０ａ〜６０ｄの直径よりもわずかに大きい直径のトラッキングロール（図示せず）が現像ロール６０ａ〜６０ｄと同軸で回転するように設けられている。つまり、現像ロール６０ａ〜６０ｄのトラッキングロールが像保持体６２の両端に設けられたフランジ（図示せず）に当接し、現像ロール６０ａ〜６０ｄと像保持体６２との間に所定の隙間が形成され、像保持体６２上の潜像がそれぞれの色の現像剤で現像される。
【００３１】
像保持体６２の上方には、該像保持体６２を一様帯電する例えば帯電ロールからなる帯電装置６４が設けられている。また、像保持体６２には、該像保持体６２の回転方向の帯電装置６４よりも上流側に像保持体用クリーナ６６が接触している。像保持体用クリーナ６６は、例えば一次転写後に像保持体６２に残留する現像剤を掻き取る。
【００３２】
ロータリ現像装置５２の上方には、帯電装置６４により帯電された像保持体６２に、レーザ光などの光線により静電潜像を書き込む光書込み装置７６が配置されている。また、像保持体６２の背面側には、ロータリ現像装置５２によって可視化された現像剤像を転写位置で記録媒体に転写する転写ロール７８が設けられている。転写ロール７８は、圧力調整機構７９が設けられており、像保持体６２に対する圧接力を調整可能（設定可能）にされている。
【００３３】
圧力調整機構７９は、図２にも示すように、例えば金属などの導電性の部材からなるバネなどの付勢部材９０と、この付勢部材９０による付勢力（転写荷重）を後述する制御部８４の制御によって調整するカム９２とを有し、例えば転写ロール７８の両端にそれぞれ設けられている。また、例えば一方の付勢部材９０には、電源部９４が接続されている。電源部９４は、後述する制御部８４の制御によって転写ロール７８と像保持体６２との間に予め定めた転写電流（例えば転写電流の初期値：標準設定値）が流れるように、付勢部材９０を介して転写ロール７８に予め定めた電圧を印加する。
【００３４】
搬送路１８（図１）の転写位置の下流には、定着装置２８が配置されている。定着装置２８は、加熱ロール８０と加圧ロール８２とを有し、像保持体６２と転写ロール７８により記録媒体に転写された現像剤像に熱と圧力（定着荷重）とを加えて、現像剤像を転写毎に記録媒体に定着させて搬送する。加圧ロール８２は、圧力調整機構８３が設けられており、加熱ロール８０に対する圧接力を調整可能（設定可能）にされている。
【００３５】
圧力調整機構８３は、図３にも示すように、例えばバネなどの付勢部材９４と、この付勢部材９４による付勢力を後述する制御部８４の制御によって調整するカム９６とを有し、例えば加圧ロール８２の両端にそれぞれ設けられている。
【００３６】
画像形成装置１０（図１）には、該画像形成装置１０を構成する各部を制御する制御部８４が設けられている。
制御部８４は、例えば図４に示すように、ＣＰＵ１００、メモリ１０２、ハードディスクドライブ（ＨＤＤ）等の記憶装置１０４、データの送受信を行う通信インタフェース（ＩＦ）１０６及び例えばタッチパネルなどのユーザインターフェイス（ＵＩ）装置１０８が制御バス１１０を介して相互に接続されることにより構成されている。
【００３７】
ＣＰＵ１００は、メモリ１０２または記憶装置１０４に格納されたプログラムに応じて予め定められた処理を実行し、制御部８４の動作を制御する。また、プログラムをメモリ１０２や記憶装置１０４から提供するのではなく、当該プログラムをＣＤ−ＲＯＭ等の記録媒体に格納して提供することも可能である。この記録媒体は磁気ディスク、半導体メモリまたはその他の記録媒体であってもよい。メモリ１０２は、画像形成装置１０が画像を形成する記録媒体の種類を区別するための判定基準なども記憶する。記録媒体の種類を区別するための判定基準は、例えば表面粗さの閾値であってもよいし、表面粗さに対応する記録媒体の種類名であってもよい。
【００３８】
通信ＩＦ１０６は、ネットワークなどを介して例えばＰＣ（パーソナルコンピュータ）などと画像形成装置１０とを接続する通信インターフェイスである。例えば、通信ＩＦ１０６は、ＰＣが送信するページ記述言語（Page Description Language：ＰＤＬ）などの画像形成信号を受信（取得）し、ＣＰＵ１００に対して出力する。
【００３９】
ＵＩ装置１０８は、例えば記録媒体の種類に関する情報を例えば作業者の操作に応じて取得し、ＣＰＵ１００に対して出力する。記録媒体の種類に関する情報は、例えば画像形成装置１０が画像を形成する記録媒体がエンボス紙であるか否か、又は記録媒体が予め定めたの表面粗さを有するか否かなどを判定するための情報であり、給紙ユニット１４に収容された記録媒体の種類を特定する設定を示す情報であってもよいし、例えばエンボス紙印刷モード又は通常印刷（エンボス紙印刷以外）モードなどの作業者が指定する動作モードの設定を示す情報であってもよい。
【００４０】
また、制御部８４は、制御バス１１０を介してＣＰＵ１００及びメモリ１０２が検出装置２０の検出結果を受け入れることができるようにされている。
【００４１】
次に、画像形成装置１０の動作について説明する。
画像形成装置１０は、例えばＵＩ装置１０８を介して設定される動作モード（記録媒体の種類に関する情報）に応じて画像を形成するための条件を設定（変更）し、設定した条件に応じて記録媒体に画像を形成するようにされている。
図５は、画像形成装置１０が画像を形成するための条件を記録媒体の種類に関する情報に応じて設定する第１の処理例（Ｓ１０）を示すフローチャートである。
図５に示すように、ステップ１００（Ｓ１００）において、制御部８４は、例えばＵＩ装置１０８を介して設定される動作モードに応じて、記録媒体の種類に関する情報を取得する。
【００４２】
ステップ１０２（Ｓ１０２）において、制御部８４は、エンボス紙印刷モードであるか否か（給紙ユニット１４に収容された記録媒体がエンボス紙であるか否か）を判定し、エンボス紙印刷モード（又は給紙ユニット１４に収容された記録媒体がエンボス紙）である場合にはＳ１０４の処理に進み、その他の場合は設定処理を終了する。
【００４３】
ステップ１０４（Ｓ１０４）において、制御部８４は、像保持体６２が保持する１種類目の静電潜像の現像条件を変更（設定）する。例えば、制御部８４は、カラー画像の形成において像保持体６２が最初に保持する静電潜像をロータリ現像装置５２の現像器が１種類目の現像剤で現像する場合に、像保持体６２が２回目に保持する静電潜像をロータリ現像装置５２の現像器が２種類目の現像剤で現像する場合よりも静電潜像に向けて移動する現像剤量が多くなるように上述した現像電圧の設定を変更する。ただし、ロータリ現像装置５２が静電潜像を現像する１種類目の現像剤が有色現像剤である場合には、現像電圧の設定を初期値から変更しないようにされてもよい。また、制御部８４は、現像電圧の変更に替えて、光書込み装置７６が出力する光線を変更することにより、１種類目の現像剤量を変更するようにされてもよい。
【００４４】
ステップ１０６（Ｓ１０６）において、制御部８４は、各現像剤像に対する転写条件を変更する。例えば、制御部８４は、カラー画像の形成において転写ロール７８が各現像剤像を転写する場合に、転写荷重及び転写電流の値がそれぞれ初期値（標準設定値）よりも小さくなるように、圧力調整機構７９及び電源部９４に対する設定を変更する。
【００４５】
ステップ１０８（Ｓ１０８）において、制御部８４は、各現像剤像の定着条件を変更する。例えば、制御部８４は、カラー画像の形成において定着装置２８が各現像剤像を定着する場合に、定着荷重の値が初期値（標準設定値）よりも大きくなるように、圧力調整機構８３に対する設定を変更する。
【００４６】
画像形成装置１０は、Ｓ１０の処理により画像を形成するための条件が設定（変更）されると、上述したように設定された条件に応じて記録媒体に画像を形成する。
例えば、画像形成信号が送られると、像保持体６２が帯電装置６４により一様に帯電され、この帯電された像保持体６２には、画像信号に基づいて光書込み装置７６からイエローの画像に対応する光線が出射される。光書込み装置７６からの光線は、像保持体６２の表面を露光し、静電潜像が形成される。
【００４７】
像保持体６２に保持された静電潜像は、ロータリ現像装置５２の現像ロール６０ａに供給されるイエローの現像剤で設定された現像条件に応じて現像される。現像された現像剤像は、給紙ユニット１４から給紙される記録媒体に設定された転写条件で転写される。イエローの現像剤像を転写された記録媒体は、定着装置２８に導かれ、加熱ロール８０と加圧ロール８２とによって熱と設定された定着荷重とを加えられ、現像剤像を定着される。イエローの現像剤像が定着した記録媒体は、切換装置３４によって反復路３６に戻される。
【００４８】
そして、ロータリ現像装置５２の現像装置本体５４が回転し、像保持体６２が帯電装置６４により一様に帯電され、この帯電された像保持体６２には、画像信号に基づいて光書込み装置７６からマゼンタの画像に対応する光線が出射される。光書込み装置７６からの光線は、像保持体６２の表面を露光し、静電潜像が形成される。
【００４９】
像保持体６２に保持された静電潜像は、ロータリ現像装置５２の現像ロール６０ｂに供給されたマゼンタの現像剤で設定された現像条件に応じて現像され、現在画像を形成している記録媒体に重ねて設定された転写条件で転写される。マゼンタの現像剤像を転写された記録媒体は、定着装置２８に導かれ、加熱ロール８０と加圧ロール８２とによって現像剤像を設定された定着条件で定着される。マゼンタの現像剤像が定着した記録媒体は、切換装置３４によって反復路３６に戻される。
【００５０】
画像を形成されている記録媒体が反復路３６に合計３回戻されることによって、イエロー及びマゼンタの現像剤像と同様に、シアン及び黒の現像剤により現像された現像剤像が定着装置２８によって記録媒体に定着され、画像を定着された記録媒体は排出ロール３２により排出口２４から排出される。
【００５１】
図６は、画像形成装置１０が画像を形成するための条件を記録媒体の種類に関する情報に応じて設定する第２の処理例（Ｓ２０）を示すフローチャートである。
図６に示すように、ステップ２００（Ｓ２００）において、制御部８４は、例えばＵＩ装置１０８を介して設定される動作モードに応じて、記録媒体の種類に関する情報を取得する。
【００５２】
ステップ２０２（Ｓ２０２）において、制御部８４は、エンボス紙印刷モードであるか否か（給紙ユニット１４に収容された記録媒体がエンボス紙であるか否か）を判定し、エンボス紙印刷モード（又は給紙ユニット１４に収容された記録媒体がエンボス紙）である場合にはＳ２０４の処理に進み、その他の場合は設定処理を終了する。
【００５３】
ステップ２０４（Ｓ２０４）において、制御部８４は、像保持体６２が保持する１種類目の静電潜像の現像条件を変更（設定）する。例えば、制御部８４は、カラー画像の形成において像保持体６２が最初に保持する静電潜像をロータリ現像装置５２の現像器が１種類目の現像剤で現像する場合に、像保持体６２が２回目に保持する静電潜像をロータリ現像装置５２の現像器が２種類目の現像剤で現像する場合よりも静電潜像に向けて移動する現像剤量が多くなるように上述した現像電圧の設定を変更する。ただし、ロータリ現像装置５２が静電潜像を現像する１種類目の現像剤が有色現像剤である場合には、現像電圧の設定を初期値から変更しないようにされてもよい。
【００５４】
ステップ２０６（Ｓ２０６）において、制御部８４は、１種類目の現像剤像の転写条件を変更する。例えば、制御部８４は、カラー画像の形成において転写ロール７８が１種類目の現像剤像を転写する場合に、転写ロール７８が２種類目の現像剤像を転写する場合よりも転写荷重及び転写電流の値がそれぞれ小さくなるように、圧力調整機構７９及び電源部９４に対する設定を変更する。
【００５５】
ステップ２０８（Ｓ２０８）において、制御部８４は、１種類目の現像剤像の定着条件を変更する。例えば、制御部８４は、カラー画像の形成において定着装置２８が１種類目の現像剤像を定着する場合に、定着装置２８が２種類目の現像剤像を定着する場合よりも定着荷重の値が大きくなるように、圧力調整機構８３に対する設定を変更する。
【００５６】
画像形成装置１０は、Ｓ２０の処理により画像を形成するための条件が設定（変更）されると、上述したように設定された条件に応じて記録媒体に画像を形成する。
例えば、画像形成信号が送られると、像保持体６２が帯電装置６４により一様に帯電され、この帯電された像保持体６２には、画像信号に基づいて光書込み装置７６から１種類目の現像剤像（例えばクリア現像剤による画像又はイエロー現像剤による画像）に対応する光線が出射される。光書込み装置７６からの光線は、像保持体６２の表面を露光し、静電潜像が形成される。
【００５７】
像保持体６２に保持された静電潜像は、ロータリ現像装置５２の現像ロール６０ａに供給される１種類目の現像剤で設定された現像条件に応じて現像される。現像された現像剤像は、給紙ユニット１４から給紙される記録媒体に設定された転写条件で転写される。１種類目の現像剤像を転写された記録媒体は、定着装置２８に導かれ、加熱ロール８０と加圧ロール８２とによって熱と設定された定着荷重とを加えられ、現像剤像を定着される。１種類目の現像剤像が定着した記録媒体は、切換装置３４によって反復路３６に戻される。
【００５８】
そして、ロータリ現像装置５２の現像装置本体５４が回転し、像保持体６２が帯電装置６４により一様に帯電され、この帯電された像保持体６２には、画像信号に基づいて光書込み装置７６から２種類目の現像剤による画像に対応する光線が出射される。光書込み装置７６からの光線は、像保持体６２の表面を露光し、静電潜像が形成される。
【００５９】
像保持体６２に保持された静電潜像は、ロータリ現像装置５２の現像ロール６０ｂに供給された２種類目の現像剤で現像条件の初期値（標準設定値）に応じて現像され、現在画像を形成している記録媒体に重ねて転写条件の初期値（標準設定値）で転写される。２種類目の現像剤像を転写された記録媒体は、定着装置２８に導かれ、加熱ロール８０と加圧ロール８２とによって現像剤像を定着条件の初期値（標準設定値）で定着される。２種類目の現像剤像が定着した記録媒体は、切換装置３４によって反復路３６に戻される。
【００６０】
画像を形成されている記録媒体が反復路３６に予め定めた回数戻されることにより、必要な３種類目以降の現像剤像が記録媒体に転写され、定着装置２８によって定着されて、画像を定着された記録媒体は排出ロール３２により排出口２４から排出される。
【００６１】
なお、上述した第１の処理例（Ｓ１０）及び第２の処理例（Ｓ２０）においては、ＵＩ装置１０８を介して設定される動作モードに応じて記録媒体の種類に関する情報を取得し、取得した記録媒体の種類に応じて画像を形成するための条件を設定したが、これに限定されることなく、画像形成装置１０は、例えばＵＩ装置１０８を介して記録媒体の種類に関する情報を直接受け入れて画像を形成するための条件を設定するようにされてもよい。また、画像形成装置１０は、通信ＩＦ１０６を介して他のコンピュータなどから記録媒体の種類に関する情報を受け入れて画像を形成するための条件を設定するようにされてもよいし、検出装置２０の検出結果に応じて記録媒体が予め定められた種類の記録媒体であるか否か（予め定められた表面粗さを有するか否か）を判定し、判定結果に応じて画像を形成するための条件を設定するようにされてもよい。また、給紙ユニット１４内に検出装置２０を配置することに代えて、給紙ユニット１４内に記録媒体の種類を特定する設定を受け入れる設定受入部などを設け、設定受入部を介して特定された記録媒体の種類に応じて画像を形成するための条件を設定するようにされてもよい。
【００６２】
次に、画像形成装置１０のエンボス紙に対する転写性について、実施例に基づいて説明する。
図７は、画像形成装置１０のエンボス紙（レザック６６、２５０ｇｓｍ）に対する転写性の評価結果を示す第１の図表である。
図７（Ａ）に示した各実施例においては、現像器５６ａ〜５６ｄにイエロー（Ｙｅｌｌｏｗ）、マゼンタ（Ｍａｇｅｎｔａ）、シアン（Ｃｙａｎ）及び黒（Ｂｌａｃｋ）の４色の現像剤が個別に収容され、プロセス速度（画像形成速度）が２２０ｍｍ／ｓにされて、図７（Ｂ）に示したように濃度１００％のマゼンタ（Ｍ）に濃度１００％のシアン（Ｃ）を重ねたブルー（Ｂｌｕｅ）の画像をエンボス紙に転写したエンボス紙転写性（画像の中抜けグレード）の評価結果が示されている。
なお、中抜けグレードは、中抜けの発生程度を目視によって数値化したものであり、中抜け未発生の程度をＧ０とし、凹部の有色画像の色が僅かに薄く目視では問題がないと判断される程度をＧ１とし、凹部が僅かに白い程度をＧ２とし、凹部が白い程度をＧ３として、大きい値ほど中抜けの程度が大きい状態を示すものとする。
【００６３】
通常印刷モードの第１例においては、各色の現像剤像に対し、転写荷重が一律の標準設定値である例えば１１ｇｆ／ｃｍに設定され、転写電流が一律の標準設定値である例えば２５μＡに設定され、定着荷重が一律の標準設定値である例えば３００ｇｆ／ｃｍに設定されて、エンボス紙にマゼンタとシアンのみによるブルーの画像が転写された結果、中抜けグレードがＧ３となった。
【００６４】
第１のエンボス紙印刷モードにおいては、上述したＳ１０の処理が行われ、転写荷重が一律の標準設定値よりも小さい例えば５ｇｆ／ｃｍに設定され、転写電流が一律の標準設定値よりも小さい例えば１５μＡに設定され、定着荷重が一律の標準設定値よりも大きい例えば３６０ｇｆ／ｃｍに設定されて、エンボス紙にマゼンタとシアンのみによるブルーの画像が転写された結果、中抜けグレードがＧ１となった。
【００６５】
第２のエンボス紙印刷モードの第１例においては、上述したＳ２０の処理が行われ、マゼンタ（１種類目）に対する転写荷重が一律の標準設定値よりも小さい例えば５ｇｆ／ｃｍに設定され、マゼンタに対する転写電流が一律の標準設定値よりも小さい例えば１５μＡに設定され、マゼンタに対する定着荷重が一律の標準設定値よりも大きい例えば３６０ｇｆ／ｃｍに設定されて、シアン（２種類目以降）に対する転写荷重が一律の標準設定値である例えば１１ｇｆ／ｃｍに設定され、シアン（２種類目以降）に対する転写電流が一律の標準設定値である例えば２５μＡに設定され、シアン（２種類目以降）に対する定着荷重が一律の標準設定値である例えば３００ｇｆ／ｃｍに設定されて、エンボス紙にマゼンタとシアンのみによるブルーの画像が転写された結果、中抜けグレードがＧ０となった。
【００６６】
図８は、エンボス紙の凹部に対して転写された現像剤の状態を示す模式図であって、（Ａ）は実施例を示す模式図であり、（Ｂ）は比較例を示す模式図である。
エンボス紙の凹部においては、転写される現像剤に対する電界が他の部分よりも小さい。例えば、記録媒体に転写する１種類目の現像剤に対する転写荷重及び転写電流の少なくともいずれかを標準設定値よりも小さくするように転写条件を変更すると、図８（Ａ）に示すように、エンボス紙の凹部内に１種類目の現像剤が届くように転写される。１種類目の現像剤がエンボス紙の凹部内に届くと、２種類目の現像剤も凹部内に届きやすくなる。
また、記録媒体に１種類目の現像剤を転写した後に、定着荷重を標準設定値よりも大きくするように定着条件を変更すると、図８（Ａ）に示すように、エンボス紙の凹部内に１種類目の現像剤が届くように定着される。
なお、画像形成装置１０にクリア現像剤が収容されている場合には、記録媒体に転写される１種類目の現像剤をクリア現像剤とする。
【００６７】
一方、記録媒体に転写する１種類目の現像剤に対する転写荷重及び転写電流のいずれも標準設定値である場合、図８（Ｂ）に示すように、エンボス紙の凹部内に１種類目の現像剤が届かない転写がなされる。１種類目の現像剤がエンボス紙の凹部内に届いていないと、２種類目の現像剤を転写する場合に転写電界（静電気力）が凹部の開口部分に集中するように屈曲し、２種類目の現像剤がさらに凹部内に届きにくくなる。
また、記録媒体に転写した１種類目の現像剤に対する定着荷重が標準設定値である場合、転写時に凹部の開口部分に集中した１種類目の現像剤を凹部内に押し付けることも困難である。
【００６８】
図９は、画像形成装置１０のエンボス紙に対する転写性の評価結果を示す第２の図表である。
図９（Ａ）に示した各実施例においては、例えば現像器５６ａ〜５６ｄに透明（クリア）、イエロー、マゼンタ及びシアンの４種類の現像剤が個別に収容され、図９（Ｂ）に示したようにクリア現像剤（ＣＴ）にマゼンタ（Ｍ）及びシアン（Ｃ）を重ねたブルー（Ｂｌｕｅ）の画像をエンボス紙に転写したエンボス紙転写性（画像の中抜けグレード）の評価結果が示されている。
【００６９】
通常印刷モードの第２例では、ブルーの画像を形成するために、例えば８０％濃度のクリア現像剤と、８０％濃度のマゼンタ現像剤と、８０％濃度のシアン現像剤とが用いられている。また、通常印刷モードの第２例においては、各色の現像剤像に対し、転写荷重が一律の標準設定値である例えば１１ｇｆ／ｃｍに設定され、転写電流が一律の標準設定値である例えば２５μＡに設定され、定着荷重が一律の標準設定値である例えば３００ｇｆ／ｃｍに設定されて、エンボス紙にクリア、マゼンタ及びシアンの現像剤が重ねられたブルーの画像が転写された結果、中抜けグレードがＧ２となった。
【００７０】
第２のエンボス紙印刷モードの第２例では、ブルーの画像を形成するために、例えば１００％濃度のクリア現像剤と、７０％濃度のマゼンタ現像剤と、７０％濃度のシアン現像剤とが用いられ、クリア現像剤の現像剤量が有色現像剤のいずれの現像剤量よりも多くされて、総現像剤量が通常印刷モードの第２例における総現像剤量と同じになるように調整されている。また、第２のエンボス紙印刷モードの第２例においては、上述したＳ２０の処理が行われ、クリア（１種類目）に対する転写荷重が一律の標準設定値よりも小さい例えば５ｇｆ／ｃｍに設定され、クリアに対する転写電流が一律の標準設定値よりも小さい例えば１５μＡに設定され、クリアに対する定着荷重が一律の標準設定値よりも大きい例えば３６０ｇｆ／ｃｍに設定されて、マゼンタ及びシアン（２種類目以降）に対する転写荷重が一律の標準設定値である例えば１１ｇｆ／ｃｍに設定され、マゼンタ及びシアンに対する転写電流が一律の標準設定値である例えば２５μＡに設定され、マゼンタ及びシアンに対する定着荷重が一律の標準設定値である例えば３００ｇｆ／ｃｍに設定されて、エンボス紙にクリア、マゼンタ及びシアンの現像剤が重ねられたブルーの画像が転写された結果、中抜けグレードがＧ０となった。
【符号の説明】
【００７１】
１０    画像形成装置
２８    定着装置
５２    ロータリ現像装置
５６ａ〜５６ｄ    現像器
６０ａ〜６０ｄ    現像ロール
６２    像保持体
６４    帯電装置
７６    光書込み装置
７８    転写ロール
７９    圧力調整機構
８０    加熱ロール
８２    加圧ロール
８３    圧力調整機構
８４    制御部
９４    電源部
１００    ＣＰＵ
１０６    通信ＩＦ
１０８    ＵＩ装置
【図１】
2010211100.tif 000003
【図２】
2010211100.tif 000004
【図３】
2010211100.tif 000005
【図４】
2010211100.tif 000006
【図５】
2010211100.tif 000007
【図６】
2010211100.tif 000008
【図７】
2010211100.tif 000009
【図８】
2010211100.tif 000010
【図９】
2010211100.tif 000011